(57)【要約】【課題】使用状態の切り換え作業を効率良く確実に行うことができる物品収納容器を提供すること。【解決手段】物品を収納する収納空間Zを複数の区画Kに分割する仕切体４を装着した分割使用状態と仕切体を装着しない一体使用状態とに切り換え自在に構成され、一体使用状態における収納空間を識別する収納空間識別体が容器本体に取り付けられ、分割使用状態における区画の夫々を識別する複数の区画識別体８が、分割使用状態で識別作用可能となる状態で仕切体に一体的に取り付けられ、仕切体が、分割使用状態で収納空間識別体を識別作用不可能となる状態で覆うカバー部１１を備えて構成されている物品収納容器。【選択図】図３
2010269807.tif 000002
【特許請求の範囲】
【請求項１】
物品を収納する収納空間を複数の区画に分割する仕切体が着脱自在に備えられ、
前記仕切体を装着した分割使用状態と前記仕切体を装着しない一体使用状態とに切り換え自在に構成され、
前記一体使用状態における前記収納空間を識別する収納空間識別体及び前記分割使用状態における前記区画の夫々を識別する複数の区画識別体が備えられた物品収納容器であって、
前記収納空間識別体が容器本体に取り付けられ、
前記区画識別体が、前記分割使用状態で識別作用可能となる状態で前記仕切体に一体的に取り付けられ、
前記仕切体が、前記分割使用状態で前記収納空間識別体を識別作用不可能となる状態で覆うカバー部を備えて構成されている物品収納容器。
【請求項２】
前記容器本体が、上面が開口した直方体状に構成され、
前記収納空間識別体が、前記容器本体の側壁部の上端面に取り付けられ、
前記仕切体が、前記収納空間を水平方向で複数の前記区画に分割するように構成され、かつ、前記カバー部として、前記分割使用状態において、前記収納空間識別体が取り付けられた前記側壁部の上端面を覆う水平面部分を備えて構成され、
前記区画識別体が、前記水平面部分の上面に取り付けられている請求項１記載の物品収納容器。
【請求項３】
前記側壁部の上端に、前記分割使用状態において前記水平面部分が嵌入する凹部が形成され、前記凹部は、前記水平面部分が嵌入したときに前記水平面部分の上面高さが前記側壁部の上端面の高さ以下になる深さに形成されている請求項２記載の物品収納容器。
【請求項４】
直方体状の前記容器本体の側壁部のうち、前記収納空間識別体が取り付けられている識別体取付用側壁部にのみ前記凹部が形成され、
前記仕切体は、前記分割使用状態において前記識別体取付用側壁部に沿って隣接配置自在な一枚の支持用縦板とこれに垂直に接続され前記収納空間を複数の前記区画に分割する仕切縦板とを備えて構成され、
前記支持用縦板の上端にのみ前記水平面部分が形成されている請求項３記載の物品収納容器。
【請求項５】
前記収納空間識別体が、前記収納空間を識別するための識別情報が記録されたバーコードを備えて構成され、
前記区画識別体が、前記区画を識別するための識別情報が記録されたバーコードを備えて構成されている請求項１〜４の何れか１項記載の物品収納容器。
【請求項６】
前記収納空間識別体が、前記収納空間を識別するための識別情報が記録されたＩＤタグを備えて構成され、
前記区画識別体が、前記区画を識別するための識別情報が記録されたＩＤタグを備えて構成され、
前記カバー部が、導電性の金属にて構成されている請求項１〜４の何れか１項記載の物品収納容器。
【請求項７】
請求項５又は６に記載の物品収納容器を複数保管する保管棚を備えた物品保管設備であって、
前記物品収納容器は、前記収納空間及び前記区画に物品を品種別に収納自在に構成され、
前記物品収納容器に、当該物品収納容器を識別する識別情報が記録された容器識別体と、
前記容器識別体、前記収納空間識別体及び前記区画識別体に記録された識別情報を読み取る読み取り手段と、
前記読み取り手段にて読み取られた識別情報及び物品の品種を識別する物品識別情報に基づいて、前記物品収納容器における前記収納空間及び前記区画の夫々を特定して、前記収納空間及び前記区画の夫々に収納されている物品の品種及び数量を、当該収納空間及び当該区画と関連付けて管理する管理手段とが設けられている物品保管設備。
【請求項８】
前記容器本体が、上面が開口した直方体状に構成され、
前記収納空間識別体が、前記容器本体の側壁部のうちの識別体取付用側壁部における上端面に取り付けられ、
前記仕切体が、前記カバー部として、前記分割使用状態において、前記識別体取付用側壁部の上端面を覆う水平面部分を備えて構成され、
前記区画識別体が、前記水平面部分の上面に取り付けられ、
前記識別体取付用側壁部の外側面に前記容器識別体を取り付けるための取り付け位置が設けられている請求項７記載の物品保管設備。
【発明の詳細な説明】
【技術分野】
【０００１】
本発明は、物品を収納する収納空間を複数の区画に分割する仕切体が着脱自在に備えられ、前記仕切体を装着した分割使用状態と前記仕切体を装着しない一体使用状態とに切り換え自在に構成され、前記一体使用状態における前記収納空間を識別する収納空間識別体及び前記分割使用状態における前記区画の夫々を識別する複数の区画識別体が備えられた物品収納容器及び前記物品収納容器を保管する物品保管設備に関する。
【背景技術】
【０００２】
上記の物品収納容器は、物品の大きさ、種類、組み合わせ等に応じて複数の物品を分類して収納するための容器である。この物品収納容器は、物品収納容器における収納空間を仕切体にて複数の区画に分割して各区画に物品を振り分けて収納する分割使用状態で使用される場合と、当該物品収納容器における収納空間を複数の区画に分割せずにそのまま一つの収納空間に物品を収納する一体使用状態とで使用される場合とがある（例えば、特許文献１参照。）。
【０００３】
また、分割使用状態の物品収納容器では、例えば、複数種類の物品を振り分けて収納できるので、複数の物品収納容器を保管可能な保管棚において、一体使用状態の物品収納容器だけでなく、分割使用状態の物品収納容器も保管することで、できるだけ多くの種類の物品を振り分けて保管することが可能である。
【０００４】
そして、物品収納容器の容器本体の例えば側壁等に収納空間識別体や複数の区画識別体が備えられており、一体使用状態における収納空間や、分割使用状態における区画の夫々を識別することができるようになっている。例えば、複数の物品収納容器を用いて物品を保管する物品保管設備では、一体使用状態の物品収納容器と分割使用状態の収納容器とが混在して使用されることになるが、収納空間識別体や区画識別体により一体使用状態における収納空間や、分割使用状態における区画の夫々を識別することで、物品収納容器の収納空間や各区間に収納される物品を、収納空間や区画に対応して管理することが可能となっている。
【０００５】
従来では、特許文献１に記載されているように、容器本体に備えさせる収納空間識別体及び区画識別体を物品収納容器の使用状態によって対応するものを選択して取り付けるようにしている。すなわち、仕切体を装着しない一体使用状態では、一つの収納空間識別体（特許文献１の図１におけるカードホルダー９）を取り付け、仕切体を装着する分割使用状態では、複数の区画識別体（特許文献１の図１におけるカードホルダー５・６）の夫々をそれらが識別する各区画に対応した位置に取り付けるようにしている。
【先行技術文献】
【特許文献】
【０００６】
【特許文献１】実開昭６２−１１７２８号公報（第２ページ及び第１図）
【発明の概要】
【発明が解決しようとする課題】
【０００７】
従来では、物品収納容器を一体使用状態から分割使用状態に使用状態を切り換える場合や、逆に、分割使用状態から一体使用状態に使用状態を切り換える場合には、作業者は、仕切体の着脱作業に加えて、容器本体に収納空間識別体及び区画識別体を物品収納容器の使用状態によって対応するものを選択して取り付ける交換作業が必要である。そのため、例えば、一体使用状態となっている物品収納容器の容器本体に仕切体を装着して分割使用状態に切り換えようとした場合に、収納空間識別体が区画識別体に交換されずに誤って収納空間識別体が取り付けられたままになったり、区画識別体及び収納空間識別体のいずれもが取り付けられていない状態となったりする作業者の作業ミスが発生するおそれがあった。
【０００８】
また、物品収納容器の使用状態を分割使用状態と一体使用状態とに切り換える場合に、仕切体の着脱作業と識別体の交換作業との二つの作業が発生するため、切り換え作業が面倒なものであり作業効率の点で改善の余地があった。
【０００９】
本発明は上記実情に鑑みて為されたものであって、その目的は、使用状態の切り換え作業を効率良く確実に行うことができる物品収納容器を提供する点にある。
【課題を解決するための手段】
【００１０】
この目的を達成するために、本発明に係る物品収納容器の第１特徴構成は、物品を収納する収納空間を複数の区画に分割する仕切体が着脱自在に備えられ、前記仕切体を装着した分割使用状態と前記仕切体を装着しない一体使用状態とに切り換え自在に構成され、前記一体使用状態における前記収納空間を識別する収納空間識別体及び前記分割使用状態における前記区画の夫々を識別する複数の区画識別体が備えられた物品収納容器において、
前記収納空間識別体が容器本体に取り付けられ、前記区画識別体が、前記分割使用状態で識別作用可能となる状態で前記仕切体に一体的に取り付けられ、前記仕切体が、前記分割使用状態で前記収納空間識別体を識別作用不可能となる状態で覆うカバー部を備えて構成されている点にある。
【００１１】
本特徴構成によれば、一体使用状態から分割使用状態に切り換える場合、仕切体を装着する作業だけで、仕切体に一体的に設けられたカバー部が収納空間識別体を覆う状態として収納空間識別体を識別作用不可能とし、区画識別体を識別作用可能とすることができるので、仕切体を装着する作業の他は、収納空間識別体を区画識別体に交換する等の作業が不要である。識別作用可能な状態とは、例えば、作業者の視認により識別できる状態であり、識別作用不可能な状態とは、例えば、作業者の視認により識別できない状態である。
【００１２】
同様に、分割使用状態から一体使用状態に切り換える場合、仕切体を離脱する作業だけで、仕切体に一体的に設けられたカバー部が収納空間識別体を覆わない状態として収納空間識別体を識別作用可能とすることができるので、仕切体を装着する作業の他は、区画識別体を収納空間識別体に交換する等の作業が不要である。したがって、物品収納容器の使用状態を効率よく切り換えることができる。
【００１３】
また、物品収納容器を仕切体が装着されない一体使用状態で使用する場合は、容器本体に取り付けられている収納空間識別体が識別作用可能となっている。また、区画識別体は、分割使用状態で識別作用可能となる状態で仕切体に一体的に取り付けられているので、容器本体に仕切体が装着されない一体使用状態では区画識別体が物品収納容器に備えられることはない。これにより、一体使用状態において区画識別体が識別作用することはない。一方、物品収納容器を分割使用状態で使用する場合は、仕切体を装着するので、仕切体が備えるカバー部により収納空間識別体は識別作用不可能となる状態で覆われる。これにより、分割使用状態において収納空間識別体が識別作用することはない。つまり、仕切体を容器本体に装着しない一体使用状態では、収納空間識別体だけが識別作用可能となり、仕切体を容器本体に装着する分割使用状態では、区画識別体だけが識別作用可能となる。このように、物品収納容器の使用状態を切り換えるべく、仕切体を着脱させることで、必然的に使用状態に応じた識別体だけが識別作用可能となる。したがって、使用状態の切り換え作業を確実に行うことができる。
【００１４】
このように、使用状態の切り換え作業を効率良く確実に行うことができる物品収納容器を得るに至った。
【００１５】
本発明に係る物品収納容器の第２特徴構成は、前記容器本体が、上面が開口した直方体状に構成され、前記収納空間識別体が、前記容器本体の側壁部の上端面に取り付けられ、前記仕切体が、前記収納空間を水平方向で複数の前記区画に分割するように構成され、かつ、前記カバー部として、前記分割使用状態において、前記収納空間識別体が取り付けられた前記側壁部の上端面を覆う水平面部分を備えて構成され、前記区画識別体が、前記水平面部分の上面に取り付けられている点にある。
【００１６】
本特徴構成によれば、収納空間識別体は上面が開口した直方体状に構成された容器本体の側壁部の上端面に取り付けられているので、収納空間識別体は、一体使用状態において作業者が収納対象の物品を出し入れする容器本体の上方空間に向くことになる。したがって、収納空間識別体についての識別情報を、例えば、識別情報が視認可能な文字で表示されていれば目視で、また、識別情報がバーコードで表示されていればバーコードリーダー等で読み取る場合に、読み取り作業が行い易い。
【００１７】
仕切体は、収納空間を水平方向で複数の区画に分割するように構成されているので、分割使用状態においても一体使用状態における場合と同様に、作業者は容器本体の上方空間を利用しながら収納対象の物品を出し入れすることになる。そして、仕切体は、カバー部として、分割使用状態において、収納空間識別体が取り付けられた側壁部の上端面を覆う水平面部分を備えており、この水平面部分の上面に区画識別体が取り付けられているので、区画識別体は容器本体の上方空間を向くことになる。したがって、分割使用状態において、区画識別体についての識別情報を、例えば、識別情報が視認可能な文字で表示されていれば目視で、また、識別情報がバーコードで表示されていればバーコードリーダー等で読み取る場合に、読み取り作業が行い易い。
【００１８】
このように、一体使用状態における収納空間識別体及び分割使用状態における区画識別体のいずれについても、これらの識別情報の読み取り作業が行い易くなる。
【００１９】
本発明に係る物品収納容器の第３特徴構成は、前記側壁部の上端に、前記分割使用状態において前記水平面部分が嵌入する凹部が形成され、前記凹部は、前記水平面部分が嵌入したときに前記水平面部分の上面高さが前記側壁部の上端面の高さ以下になる深さに形成されている点にある。
【００２０】
物品収納容器の容器本体は、従来から複数個を段積みできるように、側壁部の上端面の高さが揃うように形成されている。仕切体が、側壁部の上端面を覆う水平面部分を備えて構成される場合、仕切体を容器本体に装着すると、水平面部分の上面高さが、側壁部の上端面の高さよりも、水平面部分の厚み分だけ高くなる状態で、水平面部分の上面高さと側壁部の上端面の高さとが不揃いになってしまう。その結果、分割使用状態の物品収納容器を含む複数個の物品収納容器を安定よく段積みできないという不都合が生じ得る。
【００２１】
この点、本特徴構成によれば、側壁部の上端に、分割使用状態において水平面部分が嵌入する凹部が形成されているので、仕切体を装着すると、この凹部に水平面部分が嵌入する。そして、凹部は、水平面部分が嵌入したときに水平面部分の上面高さが側壁部の上端面の高さ以下になる深さに形成されているので、凹部に水平面部分が嵌入することで、水平面部分の上面高さが側壁部の上端面より突出する状態となることを防止できる。したがって、分割使用状態の物品収納容器を含む複数個の物品収納容器を段積みしても不安定になり難く、使い勝手のよい物品収納容器となる。
【００２２】
本発明に係る物品収納容器の第４特徴構成は、
直方体状の前記容器本体の側壁部のうち、前記収納空間識別体が取り付けられている識別体取付用側壁部にのみ前記凹部が形成され、
前記仕切体は、前記分割使用状態において前記識別体取付用側壁部に沿って隣接配置自在な一枚の支持用縦板とこれに垂直に接続され前記収納空間を複数の前記区画に分割する仕切縦板とを備えて構成され、
前記支持用縦板の上端にのみ前記水平面部分が形成されている点にある。
【００２３】
本特徴構成によれば、容器本体の凹部と仕切体の水平面部分が、夫々一つずつしか設けられていないので、仕切体を容器本体に装着する場合に、識別体取付用側壁部に形成された凹部に支持用縦板の上端に形成された水平面部分が嵌入するように装着することで、仕切体は、支持用縦板が識別体取付用側壁部に沿って隣接配置される向きで装着されることになる。これにより、支持用縦板の上端にのみ形成された水平面部分により、識別体取付用側壁部の上端面が覆われて、識別体取付用側壁部の上端面に取り付けられている収納空間識別体が識別作用不可能な状態となる。このように、作業者が仕切体を容器本体に装着する場合に、容器本体の側壁部に形成された凹部に仕切体の水平面部分が嵌入するように装着することで、仕切体は容器本体に対して収納空間識別体が識別作用不可能となるような決まった向きにて装着されることになるので、容器本体に対して仕切体が不適切な向きで装着される誤作業が極力防止される。
【００２４】
そして、例えば、識別体取付用側壁部に対向する壁部の上端面が仕切体の水平面部分にて覆われる向きなどのように、仕切体が容器本体に対して誤った向きで装着されると、分割使用状態において、収納空間識別体が識別作用可能な状態のまま、仕切体における区画識別体が識別作用可能な状態となり、分割使用状態において収納空間識別体の識別情報が謝って読み取られるおそれがある。この点、本特徴構成によれば、容器本体に対して仕切体が不適切な向きで装着される誤作業が極力防止されるので、分割使用状態において収納空間識別体は確実に仕切体の水平面部分で覆われることになり、一体使用状態の物品収納容器を分割使用状態に切り換える作業が適確に行われる。
【００２５】
本発明に係る物品収納容器の第５特徴構成は、前記収納空間識別体が、前記収納空間を識別するための識別情報が記録されたバーコードを備えて構成され、前記区画識別体が、前記区画を識別するための識別情報が記録されたバーコードを備えて構成されている点にある。
【００２６】
本特徴構成によれば、収納空間を識別するための識別情報や区画を識別するための識別情報がバーコードに記録されるので、バーコードリーダー及びコンピュータを利用した識別情報の読み取り・管理が可能となり、使い勝手がよい。また、収納空間識別体におけるバーコードを仕切体のカバー部にて覆うことで識別作用不可能な状態とすることができる。なお、この場合、識別作用可能な状態とは、バーコードに記録された識別情報をバーコードリーダーにて読み取ることができる状態であり、識別作用不可能な状態とは、バーコードに記録された識別情報をバーコードリーダーにて読み取ることができない状態である。
【００２７】
本発明に係る物品収納容器の第６特徴構成は、前記収納空間識別体が、前記収納空間を識別するための識別情報が記録されたＩＤタグを備えて構成され、前記区画識別体が、前記区画を識別するための識別情報が記録されたＩＤタグを備えて構成され、前記カバー部が、導電性の金属にて構成されている点にある。
【００２８】
本特徴構成によれば、収納空間を識別するための識別情報や区画を識別するための識別情報がＩＤタグに記録されるので、IDタグリーダー及びコンピュータを利用した識別情報の読み取り・管理が可能となり、使い勝手がよい。また、仕切体のカバー部が導電性の金属にて構成されているので、収納空間識別体におけるIDタグを仕切体のカバー部にて覆うことで、IDタグリーダーによる読み取り用の電磁波が遮蔽されて、収納空間識別体を識別作用不可能な状態とすることができる。
【００２９】
本発明に係る物品保管設備の第１特徴構成は、第５又は第６特徴構成における物品収納容器を複数保管する保管棚を備えた物品保管設備において、
前記物品収納容器は、前記収納空間及び前記区画に物品を品種別に収納自在に構成され、前記物品収納容器に、当該物品収納容器を識別する識別情報が記録された容器識別体と、前記容器識別体、前記収納空間識別体及び前記区画識別体に記録された識別情報を読み取る読み取り手段と、前記読み取り手段にて読み取られた識別情報及び物品の品種を識別する物品識別情報に基づいて、前記物品収納容器における前記収納空間及び前記区画の夫々を特定して、前記収納空間及び前記区画の夫々に収納されている物品の品種及び数量を、当該収納空間及び当該区画と関連付けて管理する管理手段とが設けられている点にある。
【００３０】
本特徴構成によれば、一体使用状態の物品収納容器や分割使用状態の物品収納容器を保管棚に保管する場合に、読み取り手段にて、容器識別体、収納空間識別体及び区画識別体に記録された識別情報を読み取って、これらの識別情報に基づいて、管理手段にて、物品収納容器の収納空間及び区画の夫々を特定して、保管棚に保管される物品収納容器の夫々における収納空間及び区画の夫々に収納されている物品の品種及び数量を管理することができる。
【００３１】
そして、物品収納容器は、使用状態の切り換え作業を確実に行うことができるものであるから、読み取り手段にて読み取られる識別情報は、物品収納容器の実際の使用状態を正確に反映した識別情報となっている。したがって、これらの識別情報に基づいて管理することで各物品収納容器の収納空間や区画に収納されている物品の品種及び数量を精度良く管理することができる。
【００３２】
本発明に係る物品保管設備の第２特徴構成は、前記容器本体が、上面が開口した直方体状に構成され、前記収納空間識別体が、前記容器本体の側壁部のうちの識別体取付用側壁部における上端面に取り付けられ、前記仕切体が、前記カバー部として、前記分割使用状態において、前記識別体取付用側壁部の上端面を覆う水平面部分を備えて構成され、前記区画識別体が、前記水平面部分の上面に取り付けられ、前記識別体取付用側壁部の外側面に前記容器識別体を取り付けるための取り付け位置が設けられている点にある。
【００３３】
本特徴構成によれば、識別体取付用側壁部の外側面に容器識別体を取り付けるための取り付け位置が設けられているので、容器識別体は、識別体取付用側壁部に取り付けられることになる。そして、収納空間識別体は識別体取付用側壁部に取り付けられており、区画識別体は仕切体の識別体取付用側壁部の上端面を覆う水平面部分の上面に取り付けられている。したがって、一体使用状態では、識別体取付用側壁部の上端面に収納空間識別体が、識別体取付用側壁部における取り付け位置に容器識別体が、夫々取り付けられることになる。また、分割使用状態では、識別体取付用側壁部の上端面を覆う仕切体の水平面部分に区画識別体が、識別体取付用側壁部における取り付け位置に容器識別体が、夫々取り付けられることになる。
【００３４】
つまり、一体使用状態であっても、分割使用状態であっても、ともに、識別体取付用側壁部における取り付け位置及び識別体取付用側壁部の上端面箇所に取り付けられた識別体に対して読み取り作業を行えばよいので、一体使用状態において容器識別体及び収納空間識別体の識別情報を読み取る際、並びに、分割使用状態において容器識別体及び区画識別体の識別情報を読み取る際の読み取り作業が行ない易くなる。
【図面の簡単な説明】
【００３５】
【図１】容器本体の斜視図
【図２】仕切体の斜視図
【図３】分割使用状態における物品収納容器の斜視図
【図４】分割使用状態における段積み状態の正面図
【図５】物品保管設備の全体平面図
【発明を実施するための形態】
【００３６】
本発明に係る物品収納容器及び物品保管設備の実施形態を図面に基づいて説明する。
〔物品収納容器〕
図１〜図３に示すように、物品収納容器１０は容器本体としてのプラスチック樹脂製のコンテナ１０ａと仕切体４とを備えている。図１に示すように、コンテナ１０ａは、上面が開口した直方体状に構成され、４つの側壁部１２を備えており、底面３と側壁部１２とで、物品を収納する収納空間Ｚが形成されている。仕切体４は、コンテナ１０ａに対して着脱自在となっており、物品収納容器１０は、コンテナ１０ａに仕切体４が装着されず、収納空間Ｚが区切られていない一体使用状態（図１参照）と、コンテナ１０ａに仕切体４が装着されて、収納空間Ｚが複数の区画Ｋに区画された分割使用状態（図３参照）とに切り換え自在に構成されている。
【００３７】
コンテナ１０ａの側壁部１２のうちの、長手方向の側壁１２の一つである識別体取付用側壁部１２ａには、粘着シールにて構成された収納空間識別ラベル７（収納空間識別体の一例）が取り付けられている。識別体取付用側壁部１２ａの上端部１２ｔには、分割使用状態において仕切体４における水平面部分１４が嵌入する凹部１５が形成されており、収納空間識別ラベル７は、凹部１５の上端面に貼り付けられている。
【００３８】
各側壁部１２の収納空間外方側には補強用のリブ９が縦横に形成されている。前記識別体取付用側壁部１２ａの外側面には、左右方向に沿う一対のリブ９と上下方向に沿う一対のリブ９とで囲まれる領域Ｐが形成されている。そして、この領域Ｐは、容器識別ラベル６（容器識別体の一例）の面積より広くなっており、容器識別ラベル６を周辺のリブに干渉することなく貼り付けることができるようになっている。すなわち、この領域Ｐは、容器識別ラベル６を取り付けるための取り付け位置Ｐとして機能しており、識別体取付用側壁部１２ａの外側面に容器識別ラベル６を取り付けるための取り付け位置Ｐが設けられている。
【００３９】
図２に示すように、仕切体４は、装着状態で収納空間Ｚを２つの区画Ｋに区切る二分割用仕切体４Ｗ（図２（ａ）参照。）と、装着状態で収納空間Ｚを３つの区画Ｋに区切る三分割用仕切体４Ｔ（図２（ｂ）参照。）とが用意されている。
【００４０】
各仕切体４は、分割使用状態において識別体取付用側壁部１２ａに沿って隣接配置自在な１枚の支持用縦板５ｓとこれに垂直に接続され収納空間Ｚを複数の区画Ｋに分割する仕切縦板５ｔとを備えている。支持用縦板５ｓの長さは、識別体取付用側壁部１２ａの略全長に亘る長さとなっている。二分割用仕切体４Ｗは、１枚の支持用縦板５ｓと１枚の仕切縦板５ｔとを備え、三分割用仕切体４Ｔは、１枚の支持用縦板５ｓと２枚の仕切縦板５ｔとを備えている。これにより、図３に示すように、二分割用仕切体４Ｗは、コンテナ１０ａに装着した分割使用状態において、収納空間Ｚを水平方向で二つの区画Ｋに分割することができるようになっており、また、三分割用仕切体４Ｔは、コンテナ１０ａに装着した分割使用状態において、収納空間Ｚを水平方向で三つの区画Ｋに分割することができるようになっている。
【００４１】
仕切体の支持用縦板５ｓの上端部には、コンテナ１０ａに装着したときの容器外側方向に折り曲げ加工されたカバー部１１としての水平面部分１４が形成されている。分割使用状態では、この水平面部分１４が収納空間識別ラベル７が取り付けられた識別体取付用側壁部１２ａの上端面を、識別体取付用側壁部１２ａの横幅方向全体に亘って覆うことで、収納空間識別ラベル７が水平面部分１４に覆われ、収納空間識別ラベル７は識別作用不可能となる状態になる。つまり、仕切体４が、分割使用状態で収納空間識別ラベル７を識別作用不可能となる状態で覆うカバー部１１を備え、分割使用状態において識別体取付用側壁部１２ａに隣接配置自在な一枚の支持用縦板５ｓの上端にのみ、水平面部分１４が形成されている。
【００４２】
水平面部分１４の上面には、区画識別ラベル８（区画識別体の一例）が取り付けられている。このように、区画識別ラベル８は、分割使用状態で識別作用可能となる状態で仕切体４に一体的に取り付けられている。二分割用仕切体４Ｗの水平面部分１４の上面には２つの区画Ｋの夫々に対応した識別情報を備えた区画識別ラベル８が、分割使用状態における各区画Ｋの位置に対応して２つ設けられており、三分割用仕切体４Ｔの水平面部分１４の上面には３つの区画Ｋの夫々に対応した識別情報を備えた区画識別ラベル８が、分割使用状態における各区画Ｋの位置に対応して３つ設けられている。
【００４３】
上記二分割用仕切体４Ｗや三分割用仕切体４Ｔをコンテナ１０ａに装着すると、図３に示すように、仕切体４における水平面部分１４により収納空間識別ラベル７が覆われて、収納空間識別ラベル７は視認できない状態となり、収納空間識別ラベル７に代わって、複数の区画識別ラベル８が視認できる状態となる。
【００４４】
図４に示すように、識別体取付用側壁部１２ａに形成された凹部１５は、仕切体４の水平面部分１４が嵌入したときに水平面部分１４の上面高さＨ１が、側壁部１２の上端面の高さＨ２以下になる深さに形成されている。これにより、図４に示すように、物品収納容器１０を段積み状態にしたときに、仕切体４を装着した分割使用状態であっても、上段の物品収納容器１０の底面３における下面の外周が、下段の物品収納容器１０の側壁部１２の上端に当接した状態となる。したがって、上段の物品収納容器１０の底面の一辺だけが水平面部分１４に乗り上げる状態となって下段の物品収納容器１０に対して上段の物品収納容器１０が傾斜する不都合が生じないようになっている。
【００４５】
容器識別ラベル６、収納空間識別ラベル７及び区画識別ラベル８には、バーコード１３が印刷されている。容器識別ラベル６のバーコード１３には、複数のコンテナ１０ａの夫々に固有のＩＤ番号である数値情報が記録されている。収納空間識別ラベル７のバーコード１３には、物品を収納する空間が一体使用状態における収納空間Ｚであることを示す収納空間判別情報である数値情報が記録されている。区画識別ラベル８のバーコード１３には、物品を収納する空間が、分割使用状態における区画Ｋのうち物品収納容器１０における複数の区画Ｋのうちいずれの区画Ｋであるかを示す区画位置判別情報である数値情報が記録されている。このように、収納空間識別ラベル７は、収納空間Ｚを識別するための識別情報が記録されたバーコード１３を備えて構成され、区画識別ラベル８が、区画Ｋを識別するための識別情報が記録されたバーコード１３を備えて構成されている。
【００４６】
上記物品収納容器１０に比較的大きい品種の物品を収納するときは、コンテナ１０ａに仕切体４を装着せずに一体使用状態で使用することで、収納空間Ｚに当該品種の物品を複数個収納できる。上記物品収納容器１０に比較的小さな物品を収納するときは、コンテナ１０ａに二分割用仕切体４Ｗ、または、三分割用仕切体４Ｔを装着することで、分割使用状態で使用し、二分割用仕切体４Ｗを装着した場合は、第１の区画Ｋと第２の区画Ｋに異なる品種の物品を収納することができ、三分割用仕切体４Ｔを装着した場合は、第１の区画Ｋと第２の区画Ｋと第３の区画Ｋの夫々に異なる品種の物品を収納することができる。
【００４７】
コンテナ１０ａの容器識別ラベル６のバーコード１３及び収納空間識別ラベル７のバーコード１３に記録されている数値情報をバーコードリーダーにて読み取って、これらの数値情報を組み合わせることで、ある品種が収納されている収納区間Ｚを特定することができる。また、コンテナ１０ａの容器識別ラベル６のバーコード１３及び区画識別ラベル８のバーコード１３に記録されている数値情報をバーコードリーダーにて読み取って、これらの数値情報を組み合わせることで、ある品種が収納されている収納区間Ｚを特定することができる。これにより、収納空間Ｚや区画Ｋの夫々にどの品種の物品が収納されているか管理することができる。
【００４８】
そして、本実施形態における物品収納容器１０の収納空間識別ラベル７および区画識別ラベル８は、仕切体４が装着されない一体使用状態であれば収納空間識別ラベル７だけが識別作用可能な状態であり、仕切体４が装着される分割使用状態であれば区画識別ラベル８だけが識別作用可能な状態であるから、バーコードリーダーにて、容器識別ラベル６のバーコード１３に記録されたＩＤ番号を読み取って、このＩＤ番号と組み合わせる対象である収納空間識別ラベル７および区画識別ラベル８のバーコード１３の数値情報を読み取る場合において、実際の使用状態と異なる使用状態についての識別ラベルを誤って読み取ってしまうおそれがない。したがって、実際の使用状態を示す識別ラベルについての数値情報を的確に読み取って、物品収納容器１０の収納空間Ｚ及び区画Ｋを的確に識別して管理することができる。
【００４９】
また、仕切体４は容器本体１０ａに対して適正な一定の向きに装着されるので、分割使用状態において仕切体４における各区画識別ラベル８は、容器本体１０ａの決まった位置に位置することになる。したがって、例えば、二分割用仕切体４Ｗであれば、二つの区画識別ラベル８の夫々は、分割使用状態における区画Ｋについて収納容器における識別体取付用側壁部１２ａを基準とした左右の位置を正しく識別するものとなる。
【００５０】
〔物品保管設備〕
次に、上記物品収納容器１０を複数保管する保管棚２３を備えた物品保管設備１について説明する。図５に示すように、物品保管設備は、物品収納容器１０を保管自在な保管部２を縦横に複数の設けた保管棚２３が一対設けられ、これらの保管棚２３の間に走行自在に設けられたスタッカークレーン２０を備えている。スタッカークレーン２０の走行経路の一方側の端部に、出庫コンベヤ１７、入庫コンベヤ１８、及び作業コンベヤ１９がコの字状を形成するように配設されている。なお、スタッカークレーン２０としては、互いに接近離間自在でかつ移載方向に出退自在な一対の把持部材を備えたサイドクランプ式又は一対の把持部材に搬送用回転ベルトを備えたベルトクランプ式の移載装置を備えたものが好ましい。
【００５１】
コの字状に配設されたコンベヤ群１７・１８・１９の内側には、スタッカークレーン２０の入出庫作動、並びに、出庫コンベヤ１７、及び、入庫コンベヤ１８の搬送作動を制御するマイクロコンピュータ利用のコントローラＣが設けられている。なお、作業コンベヤ１９はフリーローラーコンベヤである。
【００５２】
コントローラＣは、作業用ディスプレイ２１の表示動作の制御や入力された作業情報を管理するよう構成されている。作業用ディスプレイ２１は、コの字状に配設されたコンベヤ群１７・１８・１９の外側で作業コンベヤ１９の正面付近に位置する作業エリアに隣接する場所に設けられており、ハンディータイプのバーコードリーダー１６（読み取り手段の一例）が接続ケーブル２４にて接続されている。
【００５３】
作業エリアを挟んで作業コンベヤ１９の反対側には、仕切体４を保管するための仕切体保管棚２２が設けられている。仕切体保管棚２２には、二分割用仕切体４Ｔや三分割用仕切体４Ｗが夫々複数個保管されており、作業エリアで作業をする作業者Ｗが入庫作業を行うときに必要に応じて仕切体４を取り出して、コンテナ１０ａに装着する。また、作業エリアで作業者Ｗが出庫作業を行うときに空になった物品収納容器１０ａから離脱させた仕切体４を仕切体保管棚２２に収納する。
【００５４】
入庫作業は、作業コンベヤ１９に載置支持された物品収納容器１０に各種の物品を品種別に収納し、かつ、収納した物品についての入庫情報を登録する作業である。入庫作業は、入庫作業指示書に基づいて行われる。入庫作業指示書には、入庫対象の物品名・物品ＩＤ・数量・コンテナ１０ａの使用状態が指定されている。すなわち、作業者Ｗは、コンテナ１０ａを入庫作業指示書にて指定された使用状態にして、入庫作業指示書にて指定された品種の物品を指定された個数だけ、コンテナ１０ａの収納空間Ｚ又は区画Ｋに投入する。
【００５５】
入庫作業指示書にて、一体使用状態の物品収納容器１０における収納空間Ｚに入庫対象の物品を投入すべき指示があれば、作業者Ｗは、空状態のコンテナ１０ａにおける収納空間Ｚにそのまま指定された物品を投入する。入庫作業指示書にて、分割使用状態の物品収納容器１０における区画Ｋに入庫対象の物品を投入すべき指示があれば、作業者Ｗは、二分割用仕切体４Ｗ及び三分割用仕切体４Ｔのうち、入庫作業指示書にて指定された区画を形成しうる仕切体４を仕切体保管棚２２から取り出して、空状態のコンテナ１０ａにその仕切体４を装着して、当該指定された区画Ｋに指定された物品を投入する。作業者Ｗは、物品が投入された物品収納容器１０を入庫コンベヤ１９まで送り出す。
【００５６】
なお、空状態のコンテナ１０ａは、例えば、保管棚２３に、空状態のコンテナ１０ａを仕切体４を装着していない一体使用状態にて保管しておき、作業コンベヤ１９まで空状態のコンテナ１０ａを回送させるコンテナ回送指令を指令可能な回送指令ボタンを設けて、作業者Ｗが必要に応じて回送指令ボタンにてコンテナ回送指令を指令操作して、空状態のコンテナ１０ａを作業コンベヤ１９まで回送させてもよいし、また、作業者Ｗの作業エリアの周辺に空状態のコンテナ１０ａを段積み状態で保管しておき、必要に応じて作業者が手作業で作業コンベヤ１９上に空状態のコンテナ１０ａをセットするようにしてもよい。
【００５７】
作業者Ｗが物品を一体使用状態の収納空間Ｚに投入した場合は、バーコードリーダー１６を用いて、当該物品投入対象の収納空間Ｚについてのコンテナ１０ａに取り付けられた容器識別ラベル６及び収納空間識別ラベル７のバーコード１３を読み取って、当該品種の物品についての入庫作業指示書に記載された品番（物品識別情報の一例）及び投入個数を図外の数値入力キーにて入力操作し、当該品種の物品についての投入の完了を指令する図外の投入完了ボタンを押し操作する。
【００５８】
作業者Ｗがバーコードリーダー１６にて容器識別ラベル６、及び、収納空間識別ラベル７のバーコード１３を読み取る際、何れのバーコード１３も識別体取付用側壁部１２ａに取り付けられているので、集約された領域内でバーコードリーダー１６を読み取り操作すれば済むので、読み取り作業が行いやすい。また、一体使用状態の収納空間識別ラベル７のバーコード１３を読み取る場合、区画識別ラベル８が一体的に取り付けられた仕切体４はコンテナ１０ａから離脱されているので、誤って区画識別ラベル８のバーコード１３を読み取ってしまうおそれがない。
【００５９】
作業者Ｗが物品を分割使用状態の区画Ｋに投入した場合は、バーコードリーダー１６を用いて、当該物品投入対象の区画Ｋについてのコンテナ１０ａに取り付けられた容器識別ラベル６、及び、複数の区画識別ラベル８のうち当該物品投入対象の区画Ｋについてのバーコード１３を読み取って、当該品種の物品についての入庫作業指示書に記載された品番及び投入個数を図外の数値入力キーにて入力操作し、当該品種の物品についての投入完了を指令する図外の投入完了ボタンを押し操作する。
【００６０】
作業者Ｗがバーコードリーダー１６にて容器識別ラベル６、及び、区画識別ラベル８のバーコード１３を読み取る際、容器識別ラベル６のバーコード１３は識別体取付用側壁部１２ａに、また、区画識別ラベル８のバーコード１３は識別体取付用側壁部１２ａの上面を覆う仕切体４における水平面部分１４に取り付けられているので、作業者Ｗがバーコードリーダー１６にて容器識別ラベル６、及び、収納空間識別ラベル７のバーコード１３を読み取る際と同様に、集約された領域内でバーコードリーダー１６を読み取り操作すれば済むので、読み取り作業が行いやすい。また、分割使用状態の区画識別ラベル８のバーコード１３を読み取る場合、収納空間識別ラベル７は、区画識別ラベル８が一体的に取り付けられている仕切体４における水平面部分１４にて覆われて、収納空間識別ラベル７は識別作用不可能な状態となっているので、誤って収納空間識別ラベル７のバーコード１３を読み取ってしまうおそれがない。
【００６１】
作業者Ｗにより投入完了ボタンが押し操作されると、バーコードリーダー１６にて読み取られたコンテナ１０ａのＩＤ番号と、収納空間Ｚ及び複数の区画Ｋのうちから何れかを特定する識別情報としての数値情報と、数値入力キーにて入力された当該品種の物品についての品番と、投入個数とが、関連付けられた状態でコントローラＣの記憶部に在庫情報として記憶される。
【００６２】
そして、作業者Ｗにより投入完了ボタンが押し操作されると、コントローラＣにより、入庫コンベヤ１８の搬送作動と、スタッカークレーン２０の入庫作動とが制御されることで、入庫対象の物品収納容器１０が保管棚２３の空き保管部２に入庫される。複数の空き保管部２のうちから割り付けられた入庫先の保管部２の位置情報は、上述の在庫情報に付加され、当該物品収納容器１０についての在庫情報が完成する。
【００６３】
上述した入庫作業指示書に基づく入庫作業が繰り返し行われることで複数の物品収納容器１０についての在庫情報が蓄積され、物品保管設備１にて保管する物品の在庫データベースが構成される。コントローラＣは、在庫データベースを用いて、物品収納容器１０における収納空間Ｚ及び区画Ｋの夫々に収納されている物品の品種及び数量を管理する。すなわち、コントローラＣは本願の管理手段として機能している。
【００６４】
次に出庫作業について説明する。出庫作業は、作業用ディスプレイ２１に表示される出庫作業指示に基づいて行われる。作業用ディスプレイ２１に表示される出庫作業指示情報は、出庫対象の物品の品種及び数量を、当該出庫対象の物品が収納されている物品収納容器１０における保管態様（一体使用状態・二分割使用状態・三分割使用状態）を平面視による模式図に示しながら、その模式図における収納空間Ｚや区画Ｋを強調表示（例えば、反転表示や点滅表示）させた映像情報にて構成されている。なお、出庫作業指示情報として、上記映像情報に合わせて、実際の品種を表わす文字情報を補助的に表示させてもよい。
【００６５】
作業者Ｗが、図外の出庫作業開始ボタン等の出庫作業開始指令手段にて出庫作業の開始を指令操作すると、作業用ディスプレイ２１に出庫対象の品種の物品についての出庫指示情報が表示されるとともに、在庫データベースに基づいて、出庫対象の品種の物品が収納されている物品収納容器１０が作業コンベヤ１９まで搬出される。
【００６６】
出庫対象の品種の物品が一体使用状態の物品収納容器１０における収納空間Ｚに収納されている場合は、作業用ディスプレイ２１に模式的に表示される一体使用状態のコンテナ容器１０ａの全体が強調表示され、表示されているコンテナ容器１０ａの中央箇所に取り出し個数が表示される。物品の取り出しに先立って、作業者Ｗは、バーコードリーダー１６を用いて、当該物品取り出し対象の収納空間Ｚについてのコンテナ１０ａに取り付けられた容器識別ラベル６及び収納空間識別ラベル７のバーコード１３を読み取って、コントローラＣにて、実際に作業コンベヤ１９に搬出されてきた物品収納容器１０についての容器識別ラベル６及び収納空間識別ラベル７に基づいて在庫データベースから取得した物品の品種と、出庫指示情報に基づく物品の品種とを照合する。
【００６７】
万が一、両者が一致しない場合、作業用ディスプレイ２１に異常用表示を表示させたり、アラームなどを鳴動させたり等、異常の発生を通報する警報手段を作動させ、当該コンテナ１０ａから物品が取り出されないように作業者Ｗの取り出し作業を阻止する。
【００６８】
両者が一致した場合、作業用ディスプレイ２１に表示された内容に基づいて、作業コンベヤ１９に搬出された物品収納容器１０から、作業用ディスプレイ２１に表示されている如く、一体使用状態における収納空間Ｚから、指定された個数の物品を取り出す。取り出し対象物品の全数の取り出しが完了した時点で、当該品種の物品についての取り出しの完了を指令する図外の取り出し完了ボタンを押し操作する。
【００６９】
作業者Ｗがバーコードリーダー１６にて容器識別ラベル６、及び、収納空間識別ラベル７のバーコード１３を読み取る際、何れのバーコード１３も識別体取付用側壁部１２ａに取り付けられているので、集約された領域内でバーコードリーダー１６を読み取り操作すれば済むので、読み取り作業が行いやすい。また、一体使用状態の収納空間識別ラベル７のバーコード１３を読み取る場合、区画識別ラベル８が一体的に取り付けられた仕切体４はコンテナ１０ａから離脱されているので、誤って区画識別ラベル８のバーコード１３を読み取ってしまうおそれがない。
【００７０】
出庫対象の品種の物品が分割使用状態の物品収納容器１０における区画Ｋに収納されている場合は、作業用ディスプレイ２１に模式的に表示される分割使用状態のコンテナ容器１０ａの複数の区画Ｋのうち取り出し対象の品種の物品が収納されている区画Ｋだけが強調表示され、当該区画Ｋの中央箇所に取り出し個数が表示される。物品の取り出しに先立って、作業者Ｗは、バーコードリーダー１６を用いて、当該物品取り出し対象の区画Ｋについてのコンテナ１０ａに取り付けられた容器識別ラベル６及び当該区画７に対応して取り付けられた区画識別ラベル８のバーコード１３を読み取って、コントローラＣにて、実際に作業コンベヤ１９に搬出されてきた物品収納容器１０についての容器識別ラベル６及び区画識別ラベル７に基づいて在庫データベースから取得した物品の品種と、出庫指示情報に基づく物品の品種とを照合する。
【００７１】
万が一、両者が一致しない場合、作業用ディスプレイ２１に異常用表示を表示させたり、アラームなどを鳴動させたり等、異常の発生を通報する警報手段を作動させ、当該コンテナ１０ａから物品が取り出されないように作業者Ｗの取り出し作業を阻止する。
【００７２】
両者が一致した合、作業用ディスプレイ２１に表示された内容に基づいて、作業コンベヤ１９に搬出された物品収納容器１０から、作業用ディスプレイ２１に表示されている如く、分割使用状態における区画Ｋから、指定された個数の物品を取り出す。取り出し対象物品の全数の取り出しが完了した時点で、当該物品収納容器１０を入庫コンベヤ１８に送り出して、当該品種の物品についての取り出しの完了を指令する図外の取り出し完了ボタンを押し操作する。
【００７３】
作業者Ｗがバーコードリーダー１６にて容器識別ラベル６、及び、区画識別ラベル８のバーコード１３を読み取る際、容器識別ラベル６のバーコード１３は識別体取付用側壁部１２ａに、また、区画識別ラベル８のバーコード１３は識別体取付用側壁部１２ａの上面を覆う仕切体４における水平面部分１４に取り付けられているので、作業者Ｗがバーコードリーダー１６にて容器識別ラベル６、及び、収納空間識別ラベル７のバーコード１３を読み取る際と同様に、集約された領域内でバーコードリーダー１６を読み取り操作すれば済むので、読み取り作業が行いやすい。また、分割使用状態の区画識別ラベル８のバーコード１３を読み取る場合、収納空間識別ラベル７は、区画識別ラベル８が一体的に取り付けられている仕切体４における水平面部分１４にて覆われて、収納空間識別ラベル７は識別作用不可能な状態となっているので、誤って収納空間識別ラベル７のバーコード１３を読み取ってしまうおそれがない。
【００７４】
出庫対象の品種の物品が分割使用状態の物品収納容器１０における区画Ｋに収納されている場合の一例として、出庫対象の品種の物品が三分割使用状態の物品収納容器１０における３つの区画Ｋのうち識別体取付用側壁部１２ａを正面として正面に向かって右側の区画Ｋに収納されているものであると、図５に示すように、作業用ディスプレイ２１に模式的に表示される分割使用状態のコンテナ容器１０ａの複数の区画Ｋのうち取り出し対象の品種の物品が収納されている区画Ｋである画面右側の区画Ｋだけが強調表示され、その強調表示される区画Ｋの中央箇所に取り出し個数（図５の例では「１５」個）が表示される。
【００７５】
このように、出庫作業では、作業者Ｗは、作業用ディスプレイ２１に模式的に表示される物品収納容器１０を見ながら、取り出し対象の品種の物品が収納されている区画Ｋや収納空間Ｚを把握するので、取り出し対象の品種の物品についての品名や商品管理番号を目視して行うより取り出し対象の物品を、他の区画Ｋや収納空間Ｚに収納されている物品と取り違えるおそれが少なく、確実な出庫作業が行える。また、作業者は品名等を読む必要がないので、例えば、外国人作業者のように、文字が読めない作業者でも確実に作業を行うことができる。
【００７６】
取り出し完了ボタンの押し操作により、入庫コンベヤ１８及びスタッカークレーン２０が作動し、物品収納容器１０は、それが元々保管されていた保管部２に再入庫される。なお、今回の出庫作業で分割使用状態の物品収納容器１０における全ての物品が取り出された場合は、作業者Ｗは、物品収納容器１０から仕切体４を離脱させ、その離脱させた仕切体４を仕切体保管棚２２に保管する。また、空の一体使用状態の物品収納容器１０は、再入庫させずに作業エリア周辺に仮置きしてもよい。
【００７７】
〔別の実施形態〕
以下、本発明の別実施形態について説明する。
【００７８】
（１）上記実施形態では、仕切体として平面視でＴ字状及びΠ（パイ）字状のものを例示したが、仕切体としては、縦板５が平面視Ｈ状に接続されたものや、平面視でハシゴ状に接続されたものや、平面視で十字状に接続されたものでもよい。また、上記実施形態では、仕切体として、二分割用仕切体４Ｗ及び三分割用仕切体４Ｔのように二種類の仕切体が用意されたものを例示したが、一種類だけ用意されたものであってもよい。
【００７９】
（２）上記実施形態では、凹部が識別体取付用側壁部にだけ形成されたものを例示したが、これに限らず、直方体形状における対向する一対の側壁部の夫々に凹部が形成されたものであってもよい。
【００８０】
（３）上記実施形態では、入庫作業や出庫作業を行う作業エリアが自動倉庫の端部側の一箇所に設定された小規模な物品保管設備について例示したが、ピック箇所を複数設ける等、物品保管設備の具体的構成は適宜変更可能である。
【００８１】
（４）上記実施形態では、収納空間識別体が、収納空間を識別するための識別情報が記録されたバーコードを備えて構成され、区画識別体が、区画を識別するための識別情報が記録されたバーコードを備えて構成されているものを例示したが、これに代えて、収納空間識別体が、収納空間を識別するための識別情報が記録されたＩＤタグを備えて構成され、区画識別体が、区画を識別するための識別情報が記録されたＩＤタグを備えて構成されているものであってもよい。この場合、ＩＤタグとしては小型なパッシブタグを用いることが好ましい。また、分割使用状態で収納空間識別体を識別作用不可能となる状態で覆うカバー部としては、仕切体４を導電性の金属にて構成することが考えられる。取り付けの面で不利となるが、ＩＤタグとしてはアクティブタグを用いることも可能である。この場合、仕切体４として、一体使用状態でアクティブタグに対する電源供給を一時的に遮断する絶縁片などを備えたものであってもよい。
【００８２】
（５）上記実施形態では、容器本体が、上面が開口した直方体状に構成されたものを例示したが、これに代えて、例えば、上面が開口した円柱状に構成されたものや、側面が開口した直方体状に構成されたものであってもよい。容器本体を円柱状に構成する場合は、仕切体は、円柱の中心軸から径方向に沿う縦板を中心軸付近で接合して構成することも考えられる。
【００８３】
（６）上記実施形態では、側壁部の上端に、分割使用状態において仕切体の水平面部分が嵌入する凹部が形成されものを例示したが、この凹部が形成されていないものであってもよい。
【００８４】
（７）上記実施形態では、区画識別体が、仕切体における水平面部分の上面に取り付けられているものを例示したが、これに限らず、区画識別体が、仕切体における他の部分、例えば、上記実施形態における縦板５の仕切縦板５ｔの表面及び裏面等、に取り付けられているものであってもよい。
【００８５】
（８）上記実施形態では、読み取り手段の一例としてのバーコードリーダーがハンディータイプであるものを例示したが、これに代えて、読み取り手段が、識別体を読み取るための読み取り用位置に対応した位置に固定状態で設けられたものであってもよい。読み取り用位置としては、例えば、上記実施形態であれば、コンベヤ群１７・１８・１９の搬送経路のいずれかの位置に設定することが考えられる。これにより、物品収納容器１０がコンベヤ群１７・１８・１９にて搬送されるに伴って自動的に容器識別ラベル６、及び、収納空間識別ラベル７又は区画識別ラベル８の識別情報を読み取ることが可能であり、作業者は、識別ラベルの読み取り作業を行わずに済む。なお、読み取り手段を読み取り用位置に対応した位置に固定状態で設ける場合、物品収納容器１０の識別体取付用側壁部１２ａにおける容器識別ラベル６だけに対して読み取り作用可能なバーコードリーダーを設けて、保管棚２３から物品収納容器１０が出庫されたときに、収納空間識別ラベル７や区画識別ラベル８の識別情報を読み取らないようにしてもよい。
【符号の説明】
【００８６】
１      物品保管設備
３      底面
４      仕切体
５ｓ    支持用縦板
５ｔ    仕切縦板
６      容器識別体
７      収納空間識別体
８      区画識別体
１０    物品収納容器
１０ａ  容器本体
１１    カバー部
１２    側壁部
１２ａ  識別体取付用側壁部
１２ｔ  上端部
１３    バーコード
１４    水平面部分
１５    凹部
１６    読み取り手段
Ｃ      管理手段
Ｋ      区画
Ｐ      取り付け位置
Ｚ      収納空間
Ｈ１    分割使用状態における仕切体における水平面部分の高さ
Ｈ２    容器本体の側壁部の上端面の高さ
【図１】
2010269807.tif 000003
【図２】
2010269807.tif 000004
【図３】
2010269807.tif 000005
【図４】
2010269807.tif 000006
【図５】
2010269807.tif 000007